(57)【要約】【課題】カードの排出状況についての情報を取得することができるカード排出装置を提供すること。【解決手段】カード識別情報が付加されたカードを格納し、格納されたカードを排出するカード排出部９と、排出されたカードの前記カード識別情報を検出するカード識別情報検出部１３と、検出された前記カード識別情報の履歴を記憶するカード識別情報記憶部１９とを含む。【選択図】図５
2007215705.tif 000002
【特許請求の範囲】
【請求項１】
カード排出装置であって、
カード識別情報が付加されたカードを格納し、格納されたカードを排出するカード排出部と、
排出されたカードの前記カード識別情報を検出するカード識別情報検出部と、
検出された前記カード識別情報を記憶するカード識別情報記憶部と、
を含むことを特徴とするカード排出装置。
【請求項２】
カード排出装置であって、
カード識別情報が付加されたカードを格納し、格納されたカードを排出するカード排出部と、
排出されたカードの前記カード識別情報を検出するカード識別情報検出部と、
前記カード識別情報検出部による検出結果を出力するカード識別情報出力部と、
を含むことを特徴とするカード排出装置。
【請求項３】
請求項１または２において、
前記カード識別情報検出部は、
排出されたカードに接触せずに前記カード識別情報を検出することを特徴とするカード排出装置。
【請求項４】
請求項１乃至３のいずれかにおいて、
前記カード排出部には、異なる種類のカードがランダムな順番で格納されていることを特徴とするカード排出装置。
【請求項５】
請求項１乃至３のいずれかにおいて、
前記カード排出部には、異なる種類のカードが予め決められた順番で格納されていることを特徴とするカード排出装置。
【請求項６】
請求項１乃至５のいずれかにおいて、
ネットワークを介してデータの送受信を行う通信処理部とをさらに含み、
前記通信処理部は、
前記カード識別情報記憶部に記憶された前記カード識別情報をネットワークを介して接続されたサーバに送信することを特徴とするカード排出装置。
【請求項７】
ネットワークを介して接続されたカード排出装置とサーバとを含むカード識別情報集計システムであって、
前記カード排出装置は、
カード識別情報が付加されたカードを格納し、格納されたカードを排出するカード排出部と、
排出されたカードの前記カード識別情報を検出するカード識別情報検出部と、
検出された前記カード識別情報を記憶するカード識別情報記憶部と、
記憶された前記カード識別情報を前記サーバに送信する通信処理部とを含み、
前記サーバは、
前記カード排出装置から送られてくる前記カード識別情報を受信する通信処理部と、
受信した前記カード識別情報を集計する処理を行うカード識別情報集計部と、
を含むことを特徴とするカード識別情報集計システム。
【請求項８】
請求項７において、
前記サーバは、
前記カード識別情報集計部による集計結果を所定の判定条件に基づいて判定する処理を行う集計結果判定部とをさらに含むことを特徴とするカード識別情報集計システム。
【請求項９】
請求項８において、
前記集計結果判定部は、
前記所定の判定条件として、前記カード排出装置に格納されるべきカードの種類および枚数の少なくとも一方に関する情報を定めた格納情報に基づいて判定する処理を行うことを特徴とするカード識別情報集計システム。
【請求項１０】
ネットワークを介して接続された物品排出装置とサーバとを含む物品情報集計システムであって、
前記物品排出装置は、
異なる種類の物品をランダムに格納し、格納された物品を排出する物品排出部と、
排出された物品に付加された物品識別情報を検出する物品識別情報検出部と、
検出された前記物品識別情報を記憶する物品識別情報記憶部と、
記憶された前記物品識別情報を前記サーバに送信する通信処理部とを含み、
前記サーバは、
前記物品排出装置から送られてくる前記物品識別情報を受信する通信処理部と、
受信した前記物品識別情報を集計する処理を行う物品識別情報集計部と、
を含むことを特徴とする物品情報集計システム。
【発明の詳細な説明】
【技術分野】
【０００１】
本発明は、カード排出装置に関する。
【背景技術】
【０００２】
従来あるカード排出装置としては、ゲーム開始前にバーコード付カードのバーコードを読み取るものがある。
【特許文献１】特許第３１５１９７８号
【発明の開示】
【発明が解決しようとする課題】
【０００３】
カード排出装置に格納されるカードにはカードの種別、カードの持つ属性等の違いによって様々な種類のカードがあるが、このうちどの種類のカードが排出されるかわからず、排出されるカードの種類を特定することができなかった。
【０００４】
また、カード排出装置に格納されるカードの中には２５０枚中１、２枚といった一定の割合で希少価値の高い種類のカードが存在し、カード購入者の人気を集めている。このような状況で、カード排出装置が設置される店舗によっては、カードを格納する前に希少価値の高いカードのみをあらかじめ抜き取るといった行為が行われる場合があり、そのような店舗に設置されたカード排出装置からは希少価値の高いカードが一切排出されず、様々な種類のカードが店舗間で公平に販売されていないという問題が生じていた。
【０００５】
従来のカード排出装置では、格納されているカードの残量から排出されたカードの枚数について知ることができるとしても、いかなる種類のカードが何枚排出されたかといったカードの排出状況についての情報を得ることはできなかった為、排出されたカードの種類に応じたサービスを提供したり、カードの排出状況を把握してマーケティングに利用することが不可能であった。また、上記のような抜き取り行為が行われていないかチェックすることも不可能であった。
【０００６】
本発明は、上記課題に鑑みなされたものであり、その目的とするところは、カードの排出状況についての情報を取得することができるカード排出装置を提供することである。
【課題を解決するための手段】
【０００７】
（１）本発明は、カード排出装置であって、カード識別情報が付加されたカードを格納し、格納されたカードを排出するカード排出部と、排出されたカードの前記カード識別情報を検出するカード識別情報検出部と、検出された前記カード識別情報を記憶するカード識別情報記憶部と、を含むことを特徴とする。
【０００８】
カード識別情報とは、カードに付加された一次元または二次元のバーコード、磁気記録媒体、ＩＣチップ等に格納された情報をいい、カードのシリアル番号でもあってもよいし、カードの種類、カードの持つ属性等を表す情報であってもよい。また排出されたカードのカード識別情報と排出された順番、枚数に関する履歴等であってもよい。
【０００９】
カード識別情報検出部は、カード排出部から排出されるカードに付加されたカード識別情報を排出時に読み取れるような位置に設けられる。
【００１０】
カード識別情報の検出は、カード排出部からカードが排出される際に読み取り装置を用いて検出することができ、一次元または二次元のバーコードが貼付されたカードであれば光学式のスキャナで検出することができる。また磁気記録媒体が貼付されたカードであれば磁気を用いたカードリーダで検出することができ、ＩＣチップを内臓するカードであれば電波を用いたカードリーダで検出することができる。
【００１１】
本発明によれば、排出されたカードのカード識別情報を検出し、検出したカード識別情報を記憶することで、いかなる種類のカードが何枚排出されたかといったカードの排出状況についての情報を取得することができる。
【００１２】
（２）本発明は、カード排出装置であって、カード識別情報が付加されたカードを格納し、格納されたカードを排出するカード排出部と、排出されたカードの前記カード識別情報を検出するカード識別情報検出部と、前記カード識別情報検出部による検出結果を出力するカード識別情報出力部と、を含むことを特徴とするカード排出装置。
【００１３】
検出結果とは、検出したカード識別情報そのものでもよいし、検出したカード識別情報に対応する文字情報、画像情報、音声情報等でもよい。
【００１４】
出力するとは、カード排出装置に備えた表示部に出力してもよいし、カード排出装置に備えたスピーカ等の音声出力部に出力してもよい。
【００１５】
本発明によれば、カード識別情報検出部による検出結果を出力することで、排出されたカードの種類に応じたサービスを提供することができる。
【００１６】
（３）本発明のカード排出装置は、前記カード識別情報検出部が、排出されたカードに接触せずに前記カード識別情報を検出することを特徴とする。
【００１７】
接触せずに検出するとは、読み取り装置がカード識別情報を読み取る際にカードに密着しないことをいい、一次元または二次元のバーコードが貼付されたカードであれば光学的に検出してもよいし、ＩＣチップを内臓するカードであれば非接触型のＩＣカードリーダを用いて検出してもよい。
【００１８】
本発明によれば、排出されたカードに接触せずにカード識別情報を検出することで、折れ、こすれなどの損傷をカードに与えることなくカード識別情報を検出することができる。
【００１９】
（４）本発明のカード排出装置は、前記カード排出部には、異なる種類のカードがランダムな順番で格納されていることを特徴とする。
【００２０】
（５）本発明のカード排出装置は、前記カード排出部には、異なる種類のカードが予め決められた順番で格納されていることを特徴とする。
【００２１】
（６）本発明のカード排出装置は、ネットワークを介してデータの送受信を行う通信処理部とをさらに含み、前記通信処理部は、前記カード識別情報記憶部に記憶された前記カード識別情報をネットワークを介して接続されたサーバに送信することを特徴とする。
【００２２】
ネットワークを介して接続されたとは、インターネットや専用回線、またはＰＨＳなどの通信網を介して接続される場合でもよいし、有線または無線のＬＡＮ回線を介して接続される場合でもよい。
【００２３】
カード識別情報の送信は、所定の送信条件を満たした場合に一括して送信するようにしてもよい。
【００２４】
本発明によれば、記憶されたカード識別情報をネットワークを介して接続されたサーバに送信することで、ネットワークを介した遠隔地において、いかなる種類のカードが何枚排出されたかといったカードの排出状況についての情報を取得することができる。
【００２５】
（７）本発明は、ネットワークを介して接続されたカード排出装置とサーバとを含むカード識別情報集計システムであって、前記カード排出装置は、カード識別情報が付加されたカードを格納し、格納されたカードを排出するカード排出部と、排出されたカードの前記カード識別情報を検出するカード識別情報検出部と、検出された前記カード識別情報を記憶するカード識別情報記憶部と、記憶された前記カード識別情報を前記サーバに送信する通信処理部とを含み、前記サーバは、前記カード排出装置から送られてくる前記カード識別情報を受信する通信処理部と、受信した前記カード識別情報を集計する処理を行うカード識別情報集計部と、を含むことを特徴とする。
【００２６】
カード識別情報を集計する処理とは、各カード排出装置から送られてくるカード識別情報を１つにまとめて計算することであり、各カード排出装置ごとに排出されたカードの枚数を計算してもよいし、カードの種類ごとに排出されたカードの枚数を計算してもよいし、その両方でもよい。また、排出されたカード全体における特定の種類のカードが排出された割合を計算してもよいし、特定の種類のカードが排出されたか否かを集計する処理によって求めてもよい。
【００２７】
本発明によれば、受信したカード識別情報を集計する処理を行うことで、ネットワークを介した遠隔地において各カード排出装置におけるカードの排出状況についての情報を取得することができる。
【００２８】
（８）本発明のカード識別情報集計システムは、前記サーバは、前記カード識別情報集計部による集計結果を所定の判定条件に基づいて判定する処理を行う集計結果判定部とをさらに含むことを特徴とする。
【００２９】
集計結果を所定の判定条件に基づいて判定する処理とは、カード識別情報の履歴の集計結果が所定の判定条件に合致するか否かを判断する処理をいう。
【００３０】
所定の判定条件とは、例えば格納または排出されるべきカードの種類、枚数または順番を定めた条件でもよいし、格納または排出されるカードに含まれる特定の種類のカードの割合を定めた条件でもよいし、特定の種類のカードが格納または排出されるべきことを定めた条件でもよい。
【００３１】
また、一般的にカード排出装置では生産管理上の理由から、また出荷時の公平性を担保するために排出されるカードの順番のパターンがカードの出荷時にあらかじめ決まっているが、判定条件としてこのようなカードの順番のパターンを設定しておき、これに基づき集計結果を判定して特定の種類のカードが抜き取られていないかチェックしてもよい。
【００３２】
本発明によれば、集計結果を所与の判定条件に基づいて判定する処理を行うことで、ネットワークを介した遠隔地において各カード排出装置におけるカードの排出状況を様々な角度からチェックすることができる。
【００３３】
（９）本発明のカード識別情報集計システムは、前記集計結果判定部は、前記所定の判定条件として、前記カード排出装置に格納されるべきカードの種類および枚数の少なくとも一方に関する情報を定めた格納情報に基づいて判定する処理を行うことを特徴とする。
【００３４】
格納情報とは、各カード排出装置に格納時に格納されるべきカードの種類および枚数の少なくとも一方を定めた情報であり、集計結果を判定するための判定条件となる情報をいう。
【００３５】
格納情報に基づいて判定する処理とは、集計結果と格納情報の内容を照らし合わせて両者の内容が一致しているか否かを判断する処理をいい、これによってカードがカード排出装置に格納される前にカードの抜き取り行為が行われていないか確認するための判定結果を得ることができる。
【００３６】
本発明によれば、集計結果を格納情報に基づいて判定する処理を行うことで、ネットワークを介した遠隔地から各カード排出装置において様々な種類のカードが公平に販売されているかチェックすることができる。
【００３７】
（１０）本発明は、ネットワークを介して接続された物品排出装置とサーバとを含む物品情報集計システムであって、前記物品排出装置は、異なる種類の物品をランダムに格納し、格納された物品を排出する物品排出部と、排出された物品に付加された物品識別情報を検出する物品識別情報検出部と、検出された前記物品識別情報を記憶する物品識別情報記憶部と、記憶された前記物品識別情報を前記サーバに送信する通信処理部とを含み、前記サーバは、前記物品排出装置から送られてくる前記物品識別情報を受信する通信処理部と、受信した前記物品識別情報を集計する処理を行う物品識別情報集計部と、を含むことを特徴とする。
【００３８】
物品識別情報とは、物品に付加された一次元または二次元のバーコード、ＩＣチップ等に格納された情報をいい、物品のシリアル番号でもあってもよいし、物品の種類、物品持つ属性等を表す情報であってもよい。また排出された物品の物品識別情報と排出された順番、枚数に関する履歴等であってもよい。
【００３９】
物品識別情報検出部は、物品排出部から排出される物品に付加された物品識別情報を排出時に読み取れるような位置に設けられる。
【００４０】
物品識別情報の検出は、物品排出部から物品が排出される際に読み取り装置を用いて検出することができ、バーコードが貼付された物品であれば光学式のスキャナで検出することができる。またＩＣチップを内臓する物品であれば電波を用いたリーダで検出することができる。
【００４１】
本発明によれば、受信した物品情報を集計する処理を行うことで、様々な種類の物品がランダムに排出されるような物品排出装置において、いかなる種類の物品が何個排出されたかといった物品の排出状況についての情報をネットワークを介した遠隔地から取得することができる。
【発明を実施するための最良の形態】
【００４２】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００４３】
図１は本実施形態のカード排出装置１の全体斜視図である。カード排出装置１の前面上部には表示部２が配置され、表示部２の下方には操作部３が配置されている。また、操作部３にはボタン４、５、６が二組左右に配置されている。
【００４４】
操作部３の下方にはコイン投入口７が配置されている。また、カード排出装置１の前面下部にはカード排出口８が配置されている。
【００４５】
図２はカード排出装置１の内部構造を示す正面図である。カード排出装置１の内部にはカード排出部９がカード排出口８の上方に位置するように配置されている。
【００４６】
図３はカード排出部９とカード排出口８の内部構造を示す縦断面図である。カード排出部９の内部にはカードストック１０が配置され、カードストック１０にはカード１１が垂直に積み重ねられた状態で格納され、ローラ１２が回転することによってカード１１が１枚づつ排出される。ローラ１２の対面にはカード識別情報検出部１３が取り付けられ、排出されるカードのカード識別情報を読み取れるようになっている。
【００４７】
カード識別情報の読み取りの際にはカードストッパー１４が立ち上がり、カード識別情報検出部１３が確実にカード識別情報を読み取れるようになっている。カード識別情報の読み取りが完了すればカードストッパー１４が外れ、カード１１はカード排出口８に排出される。
【００４８】
図４はカード排出部９とカード排出口８の内部構造を示す縦断面図の他の例である。ここではローラ１２はカード１１のカード識別情報が読み取れる位置までカード１１を移動した後一旦回転を停止し、カード識別情報の読み取り完了後に回転を再開してカード１１をカード排出口８に排出する。
【００４９】
図５は本実施形態のカード排出装置１の機能ブロックの一例である。本実施形態のカード排出装置１は、少なくとも処理部１５、記憶部１６、カード排出部９を含めばよく、それ以外のブロックについては、任意の構成要素とすることができる。
【００５０】
ここで処理部１５は、カード排出装置１の制御、各機能ブロックへの命令の指示、画像処理、音処理などの各種の処理を行うものであり、その機能は各種プロセッサ（ＣＰＵ、ＤＳＰ等）、あるいはＡＳＩＣ（ゲートアレイ等）などのハードウェアや、所与のプログラムにより実現できる。
【００５１】
操作部３は、購入者が入力する操作データを受け付け、処理部１５に対して操作データを通知する処理を行うものであり、その機能は、レバー、ボタンなどのハードウェアにより実現できる。
【００５２】
コイン受け付け部１７は、購入者からのコイン投入を検知し、処理部１５に対して通知する処理を行う。
【００５３】
記憶部１６は、処理部１５などのワーク領域となるもので、メインメモリ、フレームバッファとして機能し、ＲＡＭなどのハードウェアにより実現できる。
【００５４】
表示部２は、検出されたカード識別情報に対応する画像等を出力するものであり、その機能は、ＣＲＴ、ＬＣＤなどのハードウェアにより実現できる。
【００５５】
音出力部１８は、検出されたカード識別情報に対応する音声を出力するものであり、その機能は、スピーカなどのハードウェアにより実現できる。
【００５６】
カード排出部９は、カードを格納し、コイン投入が検知された場合、または操作データが入力された場合にカードを排出するものであり、それぞれカードストック１０、カード識別情報検出部１３を含む。カードストック１０はカードを格納しておく場所であり、カード識別情報検出部１３は排出されたカードのカード識別情報を検出するものである。
【００５７】
記憶部１６は、カード識別情報記憶部１９を含む。カード識別情報記憶部１９は、カード識別情報検出部１３によって検出されたカード識別情報の履歴が記憶されるものである。
【００５８】
通信処理部２０は、ネットワークを介してデータの送受信を行うものであり、その機能は、各種プロセッサ、あるいは通信用ＡＳＩＣなどのハードウェアや、所与のプログラムにより実現できる。
【００５９】
ここにおいて通信処理部２０は、カード識別情報記憶部１９に記憶されたカード識別情報の履歴をネットワークを介して接続されたサーバに向けて送信する。
【００６０】
図６は本実施形態のカード排出装置１の処理の一例について説明するためのフローチャート図である。
【００６１】
まずコインの投入があるとコイン受け付け部１７がコインを検知し（Ｓ１）、カード排出部９からカードが排出される（Ｓ２）。カード排出部９からカードが排出されればカード識別情報検出部１３がカード識別情報を検出し（Ｓ３）、検出されたカード識別情報をカード識別情報記憶部１９に書き込む（Ｓ４）。そして所定の送信条件を満たせば（Ｓ５）、通信処理部２０がカード識別情報記憶部１９に記憶されているカード識別情報の履歴をネットワークを介してサーバに送信する（Ｓ６）。ここで所定の送信条件とは、カードストック１０に格納されたカードを全て排出した場合に送信するといった条件でもよいし、サーバから送信要求があった場合に送信するといった条件でもよい。
【００６２】
このように、排出されたカードのカード識別情報を検出し、検出したカード識別情報の履歴を記憶することで、いかなる種類のカードが何枚排出されたかといったカードの排出状況を把握することができ、様々な種類のカードが公平に販売されているかチェックすることができる。また、記憶されたカード識別情報の履歴をネットワークを介して接続されたサーバに送信することで、ネットワークを介した遠隔地において、カードの排出状況を把握することができる。
【００６３】
図７は本実施形態のカード識別情報集計システム２１の構成の一例を説明するための図である。
【００６４】
本実施形態のカード識別情報集計システム２１はカード排出装置１とサーバ２２を含み、カード排出装置１とサーバ２２はインターネット等のネットワーク２３を介して接続されている。ネットワーク２３は、インターネットや専用回線、またはＰＨＳなどの通信網でもよいし、有線または無線のＬＡＮ回線でもよい。カード排出装置１は、カード販売専用のカード自動販売機でもよいし、ゲーム機能を有するカードゲーム機でもよい。
【００６５】
サーバ２２は、ネットワーク２３に接続されてデータの送受信を行う通信装置２４、ワークステーション等のホストコンピュータ２５、データベース２６を含む。
【００６６】
なお通信装置２４は、モデム、ターミナルアダプタ、あるいはルーター等によって構成され、電話回線、ＩＳＤＮ回線、あるいは専用線等の通信回線を介して、カード排出装置１や他のサーバ装置との間でデータの送受信を行う。
【００６７】
図８は本実施形態のカード識別情報集計システム２１のサーバ２２の機能ブロックの一例である。
【００６８】
カード識別情報集計システム２１のサーバ２２は、ホストコンピュータ２５、データベース２６を含んでいる。
【００６９】
ホストコンピュータ２５は、処理部２７と記憶部２８と通信処理部２９を含んでいる。
【００７０】
通信処理部２９は、カード排出装置１やデータベース２６とデータのやり取りをするもので送信機能と受信機能の両方を有するが、送信手段と受信手段とに分散して送受信機能を実現してもよい。
【００７１】
処理部２７は、受信した処理要求に基づき各種処理を行うもので、その機能は各種プロセッサ（ＣＰＵ、ＤＳＰ等）、あるいはＡＳＩＣ（ゲートアレイ等）などのハードウェアや、所与のプログラムにより実現できる。
【００７２】
処理部２７は、カード識別情報集計部３０と集計結果判定部３１を含む。カード識別情報集計部３０は、カード排出装置１から送られてきたカード識別情報の履歴を集計する処理を行い、集計結果をデータベース２６に書き込むものである。集計結果判定部３１は、データベース２６から読み出した格納情報に基づいて集計結果を判定する処理を行い、判定結果を出力するものである。
【００７３】
データベース２６は、ホストコンピュータ２５とデータの送受信を行う通信処理部３１と、集計結果３３と格納情報３４を利用可能な状態で記憶した情報記憶部３５とを含んで構成され、集計結果データベースや格納情報データベースとして機能する。
【００７４】
情報記憶部３５は磁気的、光学的記録媒体や半導体メモリ等のＣＰＵで読み取り可能な記憶媒体であり、例えばＲＡＭ、ハードディスク（磁気ディスク）やフレキシブルディスク、ＣＤ−ＲＯＭ等により実現される。
【００７５】
ここで集計結果データベースには、各カード排出装置１から送られてきたカード識別情報の履歴の集計結果３３が各カード排出装置１に関連づけて記憶されている。また、格納情報データベースには、各カード排出装置１に格納されるべきカードの種類と枚数を定めた格納情報３４が各カード排出装置１に関連づけて記憶されている。
【００７６】
図９はカード排出装置１から送られてくるカード識別情報の履歴３６の一例について説明するための図である。
【００７７】
カード識別情報の履歴３６には、装置ＩＤ３７、排出番号３８、カードＩＤ３９が含まれる。排出番号３８はカード格納後にカードが排出された順番を表し、カードＩＤ３９はカード識別情報に含まれカードの種類を特定する情報である。ここでは、装置ＩＤ３７「１」をもつカード排出装置はカードＩＤ３９「Ｃ］「Ｆ」「Ｈ」・・・といったカードの順番で計２５０枚排出したことを示している。
【００７８】
図１０は集計結果データベースに記憶されている情報の一例について説明するための図である。
【００７９】
集計結果データベースには、各カード排出装置毎に装置ＩＤ４０、カードＩＤ４１，排出枚数４２等の集計結果３３が記憶されている。カードＩＤ４１はカード識別情報に含まれカードの種類を特定する情報であり、排出枚数４２はそれぞれのカードについて排出された枚数を表している。ここでは、装置ＩＤ４０「１」をもつカード排出装置１からはカードＩＤ４１「Ａ」から「Ｚ」までのカードがそれぞれ排出枚数４２にある枚数だけ排出されたことを示している。
【００８０】
ここで、カード識別情報集計部３０は、装置ＩＤ３７「１」をもつカード排出装置１から送られてきた図９のカード識別情報の履歴３６を集計することで、図１０の集計結果３３の内、装置ＩＤ４０「１」に係る部分の集計結果を得ることができる。
【００８１】
図１１は格納情報データベースに記憶されている情報の一例について説明するための図である。
【００８２】
格納情報データベースには、各カード排出装置毎に装置ＩＤ４３、カードＩＤ４４，格納枚数４５等の格納情報３４が記憶されている。カードＩＤ４４はカード識別情報に含まれカードの種類を特定する情報であり、格納枚数４５はそれぞれのカードについて格納されるべき枚数を表している。ここでは、装置ＩＤ４３「１」をもつカード排出装置には格納時にカードＩＤ４４「Ａ」から「Ｚ」までのカードがそれぞれ格納枚数４５にある枚数だけ格納されるべきことを示している。
【００８３】
ここで、集計結果判定部３１は、図１１の格納情報３４に基づいて図１０の集計結果３３を判定する処理を行うことで、各カード排出装置１に格納時に格納されるべきカードが実際にすべて格納され排出されたか否かの判定結果を出力することができる。例えば図１１の格納情報３４において装置ＩＤ４３「１」のカードＩＤ４４「Ａ」の格納枚数４５は「２」であるが、図１０の集計結果３３において装置ＩＤ４０「１」のカードＩＤ４１「Ａ」の排出枚数４２は「１」であるので、装置ＩＤ４３「１」をもつカード排出装置１においてカードＩＤ４４「Ａ」のカードが１枚格納されていない旨の判定結果が出力される。同様に装置ＩＤ４３「２」をもつカード排出装置１においてカードＩＤ４４「Ｂ」のカードが２枚格納されていない旨の判定結果が出力される。
【００８４】
図１２は本実施形態のカード識別情報集計システム２１のサーバ２２の処理の一例について説明するためのフローチャート図である。
【００８５】
まず、カード排出装置１からカード識別情報の履歴３６を受信すると（Ｓ７）、カード識別情報集計部３０がカード識別情報の履歴を集計する処理を行い（Ｓ８）、集計結果３３をデータベース２６に書き込む（Ｓ９）。集計結果判定部３１は集計結果３３と格納情報３４をデータベース２６から読み込み（Ｓ１０）、格納情報３４に基づいて集計結果３３を判定する処理を行い（Ｓ１１）、判定結果を出力する（Ｓ１２）。
【００８６】
このように、受信したカード識別情報の履歴を集計し、判定することで、遠隔地においてカードの排出状況を把握することができ、様々な種類のカードが公平に販売されているかチェックすることができる。
【００８７】
なお本発明は、上記実施形態で説明したものに限らず、種々の変形実施が可能である。例えば、明細書又は図面中の記載において広義や同義な用語として引用された用語は、明細書又は図面中の他の記載においても広義や同義な用語に置き換えることができる。
【図面の簡単な説明】
【００８８】
【図１】本実施形態のカード排出装置の全体斜視図である。
【図２】カード排出装置の内部構造を示す正面図である。
【図３】カード排出部とカード排出口の内部構造を示す縦断面図である。
【図４】カード排出部とカード排出口の内部構造を示す縦断面図の他の例である。
【図５】本実施形態のカード排出装置の機能ブロックの一例である。
【図６】本実施形態の処理の一例について説明するためのフローチャート図である。
【図７】本実施形態のカード識別情報集計システムの構成の一例を説明するための図である。
【図８】本実施形態のカード識別情報集計システムのサーバの機能ブロックの一例である。
【図９】カード識別情報の履歴の一例について説明するための図である。
【図１０】集計結果データベースに記憶されている情報の一例について説明するための図である。
【図１１】格納情報データベースに記憶されている情報の一例について説明するための図である。
【図１２】本実施形態のカード識別情報集計システムのサーバの処理の一例について説明するためのフローチャート図である。
【符号の説明】
【００８９】
１  カード排出装置
９  カード排出部
１３  カード識別情報検出部
１５  処理部（カード排出装置）
１６  記憶部
１９  カード識別情報記憶部
２０  通信処理部（カード排出装置）
２１  カード識別情報集計システム
２２  サーバ
２５  ホストコンピュータ
２６  データベース
２７  処理部（ホストコンピュータ）
２９  通信処理部（ホストコンピュータ）
３０  カード識別情報集計部
３１  集計結果判定部
３２  通信処理部（データベース）
３３  集計結果
３４  格納情報
３５  情報記憶部
【図１】
2007215705.tif 000003
【図２】
2007215705.tif 000004
【図３】
2007215705.tif 000005
【図４】
2007215705.tif 000006
【図５】
2007215705.tif 000007
【図６】
2007215705.tif 000008
【図７】
2007215705.tif 000009
【図８】
2007215705.tif 000010
【図９】
2007215705.tif 000011
【図１０】
2007215705.tif 000012
【図１１】
2007215705.tif 000013
【図１２】
2007215705.tif 000014